(57)【要約】【課題】  閉じた状態でも、液晶表示画面を見ることができ、更に、設計上の制約が少なく、また、閉じた状態における消費電力を抑えることが可能な二つ折り携帯電話機を実現する。【解決手段】  テンキー側筐体２１に、大画面液晶１７よりも小さいサイズの表示穴１９が配置され、携帯電話機１が閉じられた状態のときに、表示穴１９を通して、テンキー側筐体２１の外側から大画面液晶１７の一部の画面領域（部分表示エリア１７ａ）を透視することが可能になっており、携帯電話機１の閉状態の際には、部分表示エリア１７ａのみを表示し、大画面液晶１７の他のエリアを表示しない。【選択図】        図１
2005260673.tif 000002
【特許請求の範囲】
【請求項１】
開閉可能な第１の筐体と第２の筐体とを備え、前記第１の筐体と前記第２の筐体が閉状態になったときに前記第１の筐体と前記第２の筐体とが対向する情報処理装置であって、
前記第１の筐体において、前記第１の筐体と前記第２の筐体とが閉状態のときに前記第２の筐体に対向する面に表示ディスプレイが設けられ、
前記第２の筐体において、前記第１の筐体と前記第２の筐体とが閉状態のときに、前記第１の筐体に対向しない非対向面から前記表示ディスプレイの一部を透視することが可能な前記表示ディスプレイよりもサイズが小さい透視部が設けられ、
前記表示ディスプレイのうち、前記第１の筐体と前記第２の筐体とが閉状態のときに前記透視部から透視することができる透視可能エリアの表示と、前記透視可能エリア以外のエリアの表示とを個別に管理する表示管理部を有することを特徴とする情報処理装置。
【請求項２】
前記表示管理部は、
前記第１の筐体と前記第２の筐体とが閉状態のときに、前記表示ディスプレイのうち前記透視可能エリアのみ表示を行うことを特徴とする請求項１に記載の情報処理装置。
【請求項３】
前記表示管理部は、
前記第１の筐体と前記第２の筐体とが閉状態のときに、前記第１の筐体と前記第２の筐体とが開状態のときに前記透視可能エリアに表示される情報とは異なる情報を前記透視可能エリアに表示することを特徴とする請求項１に記載の情報処理装置。
【請求項４】
前記表示管理部は、
前記第１の筐体と前記第２の筐体とが閉状態のときに、前記第１の筐体と前記第２の筐体とが開状態のときに表示ディスプレイに表示される情報を縮小して前記透視可能エリアに表示することを特徴とする請求項１に記載の情報処理装置。
【請求項５】
前記表示管理部は、
前記第１の筐体と前記第２の筐体とが閉状態のときに、前記第１の筐体と前記第２の筐体とが開状態のときの表示ディスプレイの表示方向から上下を反転させた方向で、前記透視可能エリアの表示を行うことを特徴とする請求項１に記載の情報処理装置。
【請求項６】
前記情報処理装置は、更に、
画像の撮影が可能な撮像部を有し、
前記表示管理部は、
前記第１の筐体と前記第２の筐体とが閉状態であって、前記撮像部が動作中である場合に、前記撮像部が撮影している画像を前記透視可能エリアに表示することを特徴とする請求項１に記載の情報処理装置。
【請求項７】
前記透視部は、
前記透視可能エリアの表示を拡大する拡大レンズを備え、前記拡大レンズにより拡大された透視可能エリアの表示を記第２の筐体の非対向面に投影することを特徴とする請求項１に記載の情報処理装置。
【請求項８】
前記情報処理装置は、更に、
前記透視部上で開閉可能なカバーと、
前記第１の筐体と前記第２の筐体とが開状態のときに前記カバーを閉めた状態にし、前記第１の筐体と前記第２の筐体とが閉状態のときに前記カバーを開けた状態にするカバー開閉部とを有することを特徴とする請求項１に記載の情報処理装置。
【請求項９】
前記情報処理装置は、
前記透視部に透明の表示ディスプレイが設けられ、
前記表示管理部は、
前記第１の筐体と前記第２の筐体とが開状態のときに、前記透視部に設けられた透明の表示ディスプレイ上で表示を行い、
前記第１の筐体と前記第２の筐体とが閉状態のときに、透明の表示ディスプレイ上の表示を行わないことを特徴とする請求項１に記載の情報処理装置。
【請求項１０】
前記透視部に設けられた透明の表示ディスプレイは、
前記第１の筐体に対向する対向面側が、タッチ入力可能なタッチパネルであることを特徴とする請求項９に記載の情報処理装置。
【請求項１１】
前記情報処理装置は、
前記透視部に透明の表示ディスプレイが設けられ、
前記表示管理部は、
前記第１の筐体と前記第２の筐体とが開状態のときに、前記透視部に設けられた透明の表示ディスプレイの前記第１の筐体に対向する対向面側で表示を行い、
前記第１の筐体と前記第２の筐体とが閉状態のときに、前記第１の筐体と前記第２の筐体とが開状態のときに透明の表示ディスプレイの対向面側に表示される情報を、透明の表示ディスプレイの前記第１の筐体に対向しない非対向面側に表示することを特徴とする請求項１に記載の情報処理装置。
【請求項１２】
前記透視部に設けられた透明の表示ディスプレイは、
前記第１の筐体に対向する対向面側と前記第１の筐体に対向しない非対向面側の双方が、タッチ入力可能なタッチパネルであることを特徴とする請求項１１に記載の情報処理装置。
【請求項１３】
開閉可能な第１の筐体と第２の筐体とを備え、前記第１の筐体と前記第２の筐体が閉状態になったときに前記第１の筐体と前記第２の筐体とが対向し、
前記第１の筐体において、前記第１の筐体と前記第２の筐体とが閉状態のときに前記第２の筐体に対向する面に表示ディスプレイが設けられ、
前記第２の筐体において、前記第１の筐体と前記第２の筐体とが閉状態のときに、前記第１の筐体に対向しない非対向面から前記表示ディスプレイの一部を透視することが可能な前記表示ディスプレイよりもサイズが小さい透視部が設けられた情報処理装置の表示を管理する表示管理方法であって、
前記表示ディスプレイのうち、前記第１の筐体と前記第２の筐体とが閉状態のときに前記透視部から透視することができる透視可能エリアの表示と、前記透視可能エリア以外のエリアの表示とを個別に管理することを特徴とする表示管理方法。
【請求項１４】
前記表示管理方法は、
前記第１の筐体と前記第２の筐体とが閉状態のときに、前記表示ディスプレイのうち前記透視可能エリアのみ表示を行うことを特徴とする請求項１３に記載の表示管理方法。
【発明の詳細な説明】
【技術分野】
【０００１】
本発明は、二つ折りタイプの情報処理装置、特に二つ折りタイプの携帯電話機に関する。
【背景技術】
【０００２】
特開平４−２７３６３９号公報に記載の「二つ折り形携帯通信装置」は、ケースを閉じた状態でもケースの内面に設けた液晶表示画面を見ることができる二つ折り形携帯電話機について開示している。具体的には、第一のケースと第二のケースとが開閉自在に連結され、一方のケースにおける他方のケースとが向かい合う面には液晶表示画面および発光ダイオードランプが設けられ、両方のケースを閉じたときに液晶表示画面および発光ダイオードランプと重なる他方のケースの部分には、液晶表示画面および発光ダイオードランプを外側から透視することが可能な窓が設けられている。
【特許文献１】特開平４−２７３６３９号公報
【発明の開示】
【発明が解決しようとする課題】
【０００３】
特開平４−２７３６３９号公報によれば、透視窓のサイズを少なくとも液晶表示画面と同じサイズにする必要があり、また、透視窓の位置も液晶表示画面の位置に一致させて配置する必要がある。しかしながら、携帯電話機の液晶表示画面の大型化が進んでいる現在、透視窓のサイズを液晶表示画面と同じサイズにし、また、透視窓の位置を液晶表示画面の位置に一致させて配置するとなると、透視窓の配置が設計上の大きな制約となる。
【０００４】
また、特開平４−２７３６３９号公報によれば、携帯電話機を閉じた状態でも透視窓から液晶表示画面の内容を見えるようにするため、常に液晶表示画面全体を表示する必要がある。しかしながら、携帯電話機の液晶表示画面の大型化が進んでいる現在、携帯電話機を開けた状態及び閉じた状態の双方で常に液晶表示画面のすべてを表示するとなると電力消費が大きくなる。また、携帯電話機を閉じた状態では液晶表示画面の表示内容すべてを透視窓から見る必要があるとは限らず、携帯電話機を閉じている際に液晶表示画面のすべての情報を表示すると、表示の必要のない情報も表示され、この結果、必要以上の電力が消費されるという問題がある。
【０００５】
本発明は、上記のような問題点を解決することを主な目的とし、透視部の配置による設計上の制約を解消し、また、閉じた状態における消費電力を抑える二つ折りタイプの情報処理装置を実現することを目的とする。
【課題を解決するための手段】
【０００６】
本発明に係る情報処理装置は、
開閉可能な第１の筐体と第２の筐体とを備え、前記第１の筐体と前記第２の筐体が閉状態になったときに前記第１の筐体と前記第２の筐体とが対向する情報処理装置であって、
前記第１の筐体において、前記第１の筐体と前記第２の筐体とが閉状態のときに前記第２の筐体に対向する面に表示ディスプレイが設けられ、
前記第２の筐体において、前記第１の筐体と前記第２の筐体とが閉状態のときに、前記第１の筐体に対向しない非対向面から前記表示ディスプレイの一部を透視することが可能な前記表示ディスプレイよりもサイズが小さい透視部が設けられ、
前記表示ディスプレイのうち、前記第１の筐体と前記第２の筐体とが閉状態のときに前記透視部から透視することができる透視可能エリアの表示と、前記透視可能エリア以外のエリアの表示とを個別に管理する表示管理部を有することを特徴とする。
【発明の効果】
【０００７】
本発明によれば、表示ディスプレイよりもサイズの小さい透視部を設けているため、閉状態でも透視部を通して必要な情報を見ることができるだけでなく、透視部による設計上の制約が少なく、また、透視可能エリアの表示と表示ディスプレイの他エリアの表示とを個別に管理しているので、閉状態では、透視可能エリアのみの表示を可能とし、この結果、閉状態の際の情報処理装置の消費電力を抑えることができる。
【発明を実施するための最良の形態】
【０００８】
実施の形態１．
本実施の形態に係る二つ折りタイプの携帯電話機（情報処理装置）の外観図を図１に示す。図１（ａ）に示すように、携帯電話機１は、大画面液晶（表示ディスプレイ）１７が配置された液晶側筐体（第１の筐体）１５とテンキーボタン２０が配置されたテンキー側筐体（第２の筐体）２１を有する。
【０００９】
液晶側筐体１５とテンキー側筐体２１は開閉可能であり、閉状態になったときに液晶側筐体１５とテンキー側筐体２１とが二つ折りになって対向し、大画面液晶１７は、液晶側筐体１５とテンキー側筐体２１とが閉状態のときにテンキー側筐体２１に対向する面に設けられている。液晶側筐体１５には、テンキー側筐体２１と対向する対向面に、大画面液晶１７の他に、レシーバ１６とキーボタン１８が配置されている。また、液晶側筐体１５の非対向面（図１では背面側）にカメラ（撮像部）２３が配置されている。
【００１０】
テンキー側筐体２１には、液晶側筐体１５に対向する対向面にテンキーボタン２０と表示穴（透視部）１９が配置され、非対向面に電池２２が配置されている。表示穴１９は、大画面液晶１７よりも小さいサイズであり、携帯電話機１を閉じた時にテンキー側筐体２１の非対向面から大画面液晶１７の一部の画面領域、すなわち部分表示エリア（透視可能エリア）１７ａを透視することができる。表示穴１９は、テンキー側筐体を貫通した空洞であってもよいし、空洞に透明樹脂等を被せたものであってもよい。
【００１１】
図１（ｂ）は、図１（ａ）に示す携帯電話機１を閉じた状態を示し、テンキー側筐体２１の非対向面から見た状態を示している。図１（ｂ）に示すように、本実施の形態に係る携帯電話機１では、閉じた状態であっても、表示穴１９から大画面液晶１７の部分表示エリア１７ａの内容を透視することができる。なお、携帯電話機１を閉じた状態のときは、部分表示エリア１７ａの表示を携帯電話機を開いているときの表示から上下反転させて表示する。また、携帯電話機１を閉じた状態のときは、部分表示エリア１７ａのみを表示すれば充分である。このため、本実施の形態に係る携帯電話機１では、大画面液晶１７のうち部分表示エリア１７ａの表示と部分表示エリア１７ａ以外の部分の表示とを個別に管理し、携帯電話機１を閉じた状態のときは、部分表示エリア１７ａ以外の部分の表示を行わず、部分表示エリア１７ａの表示のみを行い、消費電力を抑える。
【００１２】
次に、本実施の形態に係る携帯電話機１の回路ブロック図を図２に示す。図１に示したように、液晶側筐体１５には、レシーバ１６、大画面液晶１７、カメラ２３、キーボタン１８が配置されている。一方、テンキー側筐体２１には、図１で示したテンキーボタン２０と電池２２の他に、携帯電話機として通常備えている要素（無線処理部、音響処理部、マイク、電源、メモリ）が配置され、また、筐体の開閉状態を検出する筐体開閉検出スイッチ２４とＣＰＵ（中央演算処理装置）５０が配置されている。
【００１３】
ＣＰＵ５０は、大画面液晶１７の表示エリアを自由に設定できる制御機能を有しているため、部分表示エリア１７ａの表示と部分表示エリア１７ａ以外の部分の表示とを個別に管理し、筐体開閉検出スイッチ２４により携帯電話機１を閉じたことが検出されたときは、部分表示エリア１７ａ以外の部分の表示を行わず、部分表示エリア１７ａの表示のみを行う。また、携帯電話機１を閉じた状態のときは、部分表示エリア１７ａの表示を携帯電話機を開いているときの表示から上下反転させて表示する。ＣＰＵ５０は、全ての管理を行う装置であり、表示管理機能（表示管理部）も有する。
【００１４】
次に、本実施の形態に係る携帯電話機１の制御フローチャートを図３に示す。
【００１５】
まず、電源がオンになっている状態（Ｓ３０１）で、筐体開閉検出スイッチ２４により開閉状態を検出し（Ｓ３０２）、開状態ならカメラがＯＮか否かを判断し（Ｓ３０３）、カメラＯＮ状態であれば大画面液晶１７にカメラ撮像画像を表示し（Ｓ３０４）、また、カメラ撮像画像の表示後にカメラがＯＦＦになれば（Ｓ３０５）、大画面液晶１７に時計や着信履歴を表示し（Ｓ３０６）、カメラがＯＮのままならば、Ｓ３１４において筐体開閉検出の割込みがあるまで大画面液晶１７にカメラ撮像画像を表示し続ける。一方で、Ｓ３０３においてカメラがＯＦＦと判断されれば、大画面液晶１７に時計や着信履歴を表示し（Ｓ３０６）、時計や着信履歴の表示後にカメラがＯＮになれば（Ｓ３０７）、大画面液晶１７にカメラ撮像画像を表示し（Ｓ３０４）、カメラがＯＦＦのままならば、Ｓ３１４において筐体開閉検出の割込みがあるまで大画面液晶１７に時計や着信履歴を表示し続ける。
【００１６】
一方、Ｓ３０２において筐体開閉検出スイッチ２４により閉状態が検出されると、表示穴１９のサイズに合わせた部分表示エリア１７ａのみを上下反転表示の設定にし（Ｓ３０８）、カメラがＯＮか否かを判断し（Ｓ３０９）、カメラＯＮ状態であれば部分表示エリア１７ａにカメラ撮像画像を上下反転させて表示し（Ｓ３１０）、大画面液晶１７の他表示エリアの表示は行わない。また、カメラ撮像画像の表示後にカメラがＯＦＦになれば（Ｓ３１１）、部分表示エリア１７ａに時計や着信履歴を上下反転させて表示し（Ｓ３１２）、カメラがＯＮのままならば、Ｓ３１４において筐体開閉検出の割込みがあるまで部分表示エリア１７ａにカメラ撮像画像を表示し続ける。一方で、Ｓ３０９においてカメラがＯＦＦと判断されれば、部分表示エリア１７ａに時計や着信履歴を上下反転させて表示し（Ｓ３１２）、大画面液晶１７の他表示エリアの表示は行わない。時計や着信履歴の表示後にカメラがＯＮになれば（Ｓ３１３）、部分表示エリア１７ａにカメラ撮像画像を上下反転させて表示し（Ｓ３１０）、カメラがＯＦＦのままならば、Ｓ３１４において筐体開閉検出の割込みがあるまで部分表示エリア１７ａに時計や着信履歴を表示し続ける。
【００１７】
なお、以上の説明では、携帯電話機１が開状態のときに部分表示エリア１７ａに表示する内容と閉状態のときに部分表示エリア１７ａに表示する内容は同じであったが（図１では、開状態、閉状態のいずれも時計の表示）、閉状態のときに部分表示エリア１７ａに表示する内容を開状態のときの表示内容から変えてもよい。例えば、図１４に示すように、開状態では部分表示エリア１７ａに時計を表示し（図１４（ａ））、閉状態になると、部分表示エリア１７ａの表示内容を着信履歴に変化させて表示穴１９から着信履歴を見れるようにしてもよい。
【００１８】
また、以上の説明では、携帯電話機１が閉状態のときには部分表示エリア１７ａを上下反転させて表示することとしたが、上下反転させずに表示してもよい。
【００１９】
このように、本実施の形態に係る携帯電話機は、テンキー側筐体（第２の筐体）において、閉状態のときに、液晶側筐体（第１の筐体）に対向しない非対向面から大画面液晶（表示ディスプレイ）の一部を透視することが可能な大画面液晶よりもサイズが小さい表示穴（透視部）が設けられ、大画面液晶のうち、閉状態のときに表示穴から透視することができる部分表示エリア（透視可能エリア）の表示と、部分表示エリア以外のエリアの表示とを個別に管理するＣＰＵ（表示管理部）を有することを特徴とする。
【００２０】
本実施の形態に係る携帯電話機によれば、大画面液晶よりもサイズの小さい表示穴を設けているため、携帯電話機を閉じている状態でも表示穴を通して必要な情報を見ることができるだけでなく、表示穴による設計上の制約が少なく、また、部分表示エリアと大型液晶画面の他エリアとを個別に管理し、携帯電話機を閉じている状態では、部分表示エリアのみを表示することとしたので、携帯電話機を閉じている際の消費電力を抑えることができる。
【００２１】
実施の形態２．
本実施の形態に係る携帯電話機１の外観図を図４に示す。図４では、図１に示した構成に加え、拡大レンズ２５を備えている。本実施の形態では、筐体開閉検出スイッチ２４により閉状態が検出された場合に、大画面液晶１７に表示された内容を部分表示エリア１７ａに凝縮（縮小）し、部分表示エリアのみを表示する。部分表示エリア１７ａに表示される内容は、大画面液晶１７の表示内容を凝縮（縮小）したものであり、そのままでは小さく非常に見にくいものであるが、拡大レンズ２５により拡大されて表示されるため、視認性を向上することができる。また、表示データの加工（拡大）が不要で制御が簡易になる。
【００２２】
実施の形態３．
本実施の形態に係る携帯電話機１の外観図を図５、回路ブロック図を図６、制御フローチャートを図７に示す。本実施の形態では、実施の形態１で説明した携帯電話機に対して、筐体を開いたときに表示穴１９を塞ぐためのカバー２６とカバー２６を開閉するためのカバー開閉回路（カバー開閉部）２７が追加されている。このため、携帯電話機が開状態の際にデザイン性を損ねることがなく、また表示穴の表面を傷つけることがないメリットを有する。また、表示穴の内部にチリ、ホコリ等が入るのを防止することができる。
【００２３】
図７のフローチャートは、Ｓ７０３とＳ７０９の処理が追加された以外は、図３の内容と同じである。つまり、筐体開閉検出スイッチ２４により開閉状態を検出し（Ｓ７０２）、筐体開状態ならカバー開閉回路２７によりカバー２６を閉じる（Ｓ７０３）。以降のＳ７０４〜Ｓ７０８は、図３のＳ３０３〜Ｓ３０７と同じであり、カメラＯＮ状態であれば大画面液晶１７にカメラ撮像画像を表示し、カメラＯＦＦ状態であれば大画面液晶１７に時計や着信履歴を表示する。また、筐体開閉検出スイッチ２４により筐体閉状態が検出された場合には、カバー開閉回路２７によりカバー２６を開く（Ｓ７０９）。以降のＳ７１０〜Ｓ７１６は、図３のＳ３０８〜Ｓ３１４と同じであり、表示穴１９のサイズに合わせて大画面液晶１７の部分表示エリア１７ａを上下反転表示に設定し、カメラＯＮ状態であれば部分表示エリア１７ａにカメラ撮像画像を表示し、カメラＯＦＦ状態であれば部分表示エリア１７ａに時計や着信履歴を表示する。
【００２４】
実施の形態４．
本実施の形態に係る携帯電話機１の外観図を図８、回路ブロック図を図９、制御フローチャートを図１０に示す。
【００２５】
本実施の形態では、図８及び図９に示しように、透視部として透明の小型液晶（表示ディスプレイ）２９を設け、小型液晶２９の表面にタッチパネル２８を設け、携帯電話機１が開状態のときは、図１に示したキーボタン１８と同様なタッチパネルキーを小型液晶２９に表示するようにする。このため、図８の携帯電話機１には、図１に示したキーボタン１８を設けていない。また、携帯電話機１が閉状態のときは、透明の小型液晶２９の表示を行わず、図１に示した表示穴１９と同様に、テンキー側筐体２１の非対向面から部分表示エリア１７ａの内容を透視できるようにする。
【００２６】
次に、図１０のフローチャートについて説明する。図１０のフローチャートは、Ｓ１００３、Ｓ１００９〜Ｓ１０１２の処理が追加された以外は、図３の内容と同じである。まず筐体開閉検出スイッチ２４により開閉状態を検出し（Ｓ１００２）、開状態なら小型液晶２９にキーボタンを表示する（Ｓ１００３）。カメラＯＮ／ＯＦＦにより大画面液晶１７にカメラ撮像画像を表示するか時計や着信履歴を表示するかを判断し、カメラＯＮの場合には、大画面液晶１７にカメラ撮影画像を表示し、カメラＯＦＦの場合には、大画面液晶１７に時計や着信履歴を表示する。キーを表示した小型液晶２９上部に取りつけられた透明なタッチパネル２８が押されたことが検出されると（Ｓ１００９）、押されたタッチパネル２８の座標位置から、どのキーが押されたかを判断し、キーに応じた機能を実行する（Ｓ１０１１）。また、筐体開閉検出スイッチ２４により閉状態が検出された場合には、小型液晶２９を非表示にして透明な状態とし（Ｓ１０１２）、小型液晶２９のサイズに合わせて大画面液晶１７の部分表示エリア１７ａを上下反転表示に設定するとともに、部分表示を行う。このときカメラＯＮであれば部分表示エリア１７ａにカメラ撮像画像を表示し、カメラＯＦＦの場合には、大画面液晶１７の部分表示エリアに時計や着信履歴を表示する。
【００２７】
このように、透視部として透明の小型液晶を設け、携帯電話機１の開状態のときには、小型液晶上のタッチパネル上にキーボタンを表示可能としたので、液晶側筐体上にキーボタンを配置する必要がなく、設計上の自由度が上がるとともに、携帯電話機の小型を図ることができる。
【００２８】
実施の形態５．
本実施の形態に係る携帯電話機１の外観図を図１１、回路ブロック図を図１２、制御フローチャートを図１３に示す。
【００２９】
本実施の形態では、図１１及び図１２に示すように、実施の形態１と同様に、タッチパネル２８を有する小型液晶２９を透視部として備えるとともに、小型液晶２９の外側の面（液晶側筐体１５に対向しない面）にもタッチパネル３０を設けている。このため、タッチパネル３０にキーボタンを表示することにより、携帯電話機１を閉じている状態でも、キー入力が可能である。
【００３０】
次に、図１３のフローチャートについて説明する。図１３のフローチャートは、Ｓ１３１５、Ｓ１３１７、Ｓ１３１９、Ｓ１３２０以外の処理は、図１０の内容と同じである。まず筐体開閉検出スイッチ２４により開閉状態を検出し、開状態なら図１０と同様の制御を行う（Ｓ１３０３〜Ｓ１３１１）。筐体開閉検出スイッチ２４により閉状態が検出された場合には、小型液晶２９を非表示とし、小型液晶２９のサイズに合わせて大画面液晶１７の部分表示エリア１７ａを上下反転表示に設定するとともに、部分表示を行う。カメラＯＦＦの時には、部分表示エリア１７ａには時計や着信履歴を表示するとともに、小型液晶２９のタッチパネル３０上にキーボタンが表示される（Ｓ１３１７）。このキーボタンの表示は、例えば、時計や着信履歴の表示に重ねてキーボタンを表示するようにしてもよい。また、例えば、一定周期ごとに時計や着信履歴の表示からキーボタンの表示に切り替えるようにしてもよい。また、例えば、通常は時計や着信履歴を表示しておき、ユーザが小型液晶２９のタッチパネル３０部分に触れるとキーボタンが表示されるようにしてもよい。タッチパネル３０が押されると、押された座標位置から、どのキーが押されたかを判断し（Ｓ１３１９）、キーに応じた機能を実行する（Ｓ１３２０）。また、カメラＯＮの場合でも、大画面液晶１７の部分表示エリア１７ａにカメラ撮像画像とともにキーボタンが表示され（Ｓ１３１５）、押されたタッチパネル３０の座標位置から、どのキーが押されたかを判断し（Ｓ１３１９）、キーに応じた機能を実行する（Ｓ１３２０）。この場合もキーボタンの表示は、カメラ撮影画像に重ね合わせてキーが表示されてもよいし、一定周期ごとにカメラ撮影画像とキーボタンの表示を切り替えるようにしてもよいし、ユーザがタッチパネルを触れることによりキーボタンの表示に切り替えるようにしてもよい。
【００３１】
このように、本実施の形態によれば、携帯電話機の閉状態においても、キーボタンを表示し、キーボタンによる入力を可能としているため、携帯電話機の閉状態における利便性を向上させることができる。
【００３２】
なお、以上では、二つ折りの携帯電話機を例にして説明したが、本発明は携帯電話機以外の情報提供装置にも適用可能である。
【図面の簡単な説明】
【００３３】
【図１】実施の形態１に係る携帯電話機の例を示す外観図。
【図２】実施の形態１に係る携帯電話機の構成例を示す回路ブロック図。
【図３】実施の形態１に係る携帯電話機の動作例を示すフローチャート図。
【図４】実施の形態２に係る携帯電話機の例を示す外観図。
【図５】実施の形態３に係る携帯電話機の例を示す外観図。
【図６】実施の形態３に係る携帯電話機の構成例を示す回路ブロック図。
【図７】実施の形態３に係る携帯電話機の動作例を示すフローチャート図。
【図８】実施の形態４に係る携帯電話機の例を示す外観図。
【図９】実施の形態４に係る携帯電話機の構成例を示す回路ブロック図。
【図１０】実施の形態４に係る携帯電話機の動作例を示すフローチャート図。
【図１１】実施の形態５に係る携帯電話機の例を示す外観図。
【図１２】実施の形態５に係る携帯電話機の構成例を示す回路ブロック図。
【図１３】実施の形態５に係る携帯電話機の動作例を示すフローチャート図。
【図１４】実施の形態１に係る携帯電話機の例を示す外観図。
【符号の説明】
【００３４】
１  携帯電話機、１５  液晶側筐体、１６  レシーバ、１７  大画面液晶、１７ａ  部分表示エリア、１８  キーボタン、１９  表示穴、２０  テンキーボタン、２１  テンキー側筐体、２２  電池、２３  カメラ、２４  筐体開閉検出スイッチ、２５  拡大レンズ、２６  カバー、２７  カバー開閉回路、２８  タッチパネル、２９  小型液晶、３０  タッチパネル。
【図１】
2005260673.tif 000003
【図２】
2005260673.tif 000004
【図３】
2005260673.tif 000005
【図４】
2005260673.tif 000006
【図５】
2005260673.tif 000007
【図６】
2005260673.tif 000008
【図７】
2005260673.tif 000009
【図８】
2005260673.tif 000010
【図９】
2005260673.tif 000011
【図１０】
2005260673.tif 000012
【図１１】
2005260673.tif 000013
【図１２】
2005260673.tif 000014
【図１３】
2005260673.tif 000015
【図１４】
2005260673.tif 000016